(57)【要約】【課題】筒状部分を有する鉄骨材料同士を容易に連結すること、特に、既に設置された２本の柱状鉄骨材料の間に、他の鉄骨材料を直交する方向に容易に連結することにある。【解決手段】この連結用具セットは、金属管と、スライド部材と、固定具とを備えている。金属管は、構造物中に設けられた筒状部分と同軸に少なくとも１つの端部が連結されるとともに、端部に軸方向に延びる長孔が形成されている。スライド部材は、金属管の内周側に収納可能であり、金属管の端部の内周側に長孔に沿って軸方向にスライド自在に装着される。固定具は、金属管の端部に配置され、金属管の外周側から長孔を介してスライド部材を金属管に対し所定の軸方向位置で固定するためのものである。【選択図】      図１
2004360391.tif 000002
【特許請求の範囲】
【請求項１】
構造物中に設けられた筒状部分と同軸に少なくとも一方の端部が連結されるとともに、前記端部に軸方向に延びる第１長孔が形成された金属管と、
前記金属管の端部の内周側に軸方向にスライド自在に装着されるとともに、前記金属管の内周側に収納可能であるスライド部材と、
前記金属管の外周側から前記第１長孔を通って前記スライド部材を前記金属管に対し所定の軸方向位置で固定するための第１固定具と、前記筒状部分の端部と前記スライド部材とを固定するための第２固定具とを有する固定具セットとを備え、
前記筒状部分の前記金属管の端部が装着される側の端部には、前記第１長孔に対向して第２孔が形成され、
前記スライド部材は、前記筒状部分側の端部が前記筒状部分の内周側に配置された状態で、前記第１及び第２固定具がそれぞれ前記第１長孔及び第２孔を通って取り付けられるための第１及び第２取付孔を有している、
連結用具セット。
【請求項２】
前記筒状部分は、前記金属管の軸方向長さだけ離れて前記構造物中の対向する２箇所に設けられており、
前記金属管は、両端部に前記第１長孔が形成され、
前記スライド部材及び前記固定具セットは、前記金属管の両端部に配置される、
請求項１に記載の連結用具セット。
【請求項３】
前記スライド部材は、前記第２取付孔を有し、前記筒状部分及び金属管の内壁に沿う板状の本体部と、前記第１取付孔を有し、前記本体部から外周側に突出しかつ前記金属管が前記筒状部分に連結された連結状態において前記第１長孔に嵌合可能な突出部とを有している、請求項１または２に記載の連結用具セット。
【請求項４】
前記金属管は、周方向に隣接して形成された複数の第１長孔を有し、
前記スライド部材及び固定具セットは、前記複数の第１長孔に対応してそれぞれ複数ずつ配置される、
請求項１から３のいずれかに記載の連結用具セット。
【請求項５】
前記筒状部分及び金属管は、周方向に隣接して複数の側面が連結されてなる角柱状中空部材であるとともに、前記金属管は、少なくとも１つの前記側面に前記第１長孔を有している、請求項４に記載の連結用具セット。
【請求項６】
前記筒状部分及び金属管は、周方向に隣接する複数の側面を有する角柱状中空部材であるとともに、前記金属管は、周方向に隣接する２つの側面に前記第１長孔が形成されており、
前記スライド部材の本体部は、前記筒状部分及び金属管の周方向に隣接する２つの内壁に沿う２つの側面部が周方向に連結されており、前記スライド部材の突出部は、前記側面部にそれぞれ形成されており、
前記固定具セットは、前記スライド部材の各側面部に対応して複数ずつ配置されている、
請求項３から５のいずれかに記載の連結用具セット。
【請求項７】
前記スライド部材は板金製であり、前記第１及び第２固定具はボルトである、請求項１から６のいずれかに記載の連結用具セット。
【請求項８】
構造物中に設けられ、互いに直交する複数の筒状部分を有し、少なくとも１つの前記筒状部分の端部に軸方向に延びる第２孔を有する多方連結部材と、
前記第２孔を有する少なくとも一方の端部が前記多方連結部材の筒状部分の１つと同軸に連結されるとともに、前記金属管が前記第２孔を有する筒状部分に連結された連結状態での前記多方連結部材の第２孔に対向して第１長孔が前記端部に形成された金属管と、
前記金属管の端部の内周側に軸方向にスライド自在に装着され、前記金属管の内周側に収納可能であるスライド部材と、
前記金属管の外周側から前記第１長孔を通って前記スライド部材を前記金属管に対し固定するための第１固定具と、前記第２孔を通って前記スライド部材を前記筒状部分に固定するための第２固定具とを有する固定具セットとを備え、
前記スライド部材は、前記筒状部分側の端部が前記筒状部分の内周側に配置された状態で、前記第１及び第２固定具がそれぞれ前記第１長孔及び第２孔を通って取り付けられるための第１及び第２取付孔を有している、
連結用具セット。
【請求項９】
構造物中に設けられた筒状部分と同軸に金属管を連結するための連結方法であって、
前記金属管の端部に軸方向にスライド自在に装着されたスライド部材を前記金属管の端部の内周側に収納する収納工程と、
前記スライド部材が収納された前記金属管の端部を前記筒状部分と同軸に配置する配置工程と、
前記スライド部材を前記筒状部分側にスライドさせて、その一部を前記筒状部分の内周側に配置するスライド工程と、
前記スライド部材を前記金属管に対し固定する固定工程と、
を備えた構造物及び金属管の連結方法。
【請求項１０】
前記配置工程では、前記金属管の軸方向長さだけ離れて配置された２つの筒状部分の間に、前記スライド部材が収納された前記金属管を配置する、請求項９に記載の構造物及び金属管の連結方法。
【発明の詳細な説明】
【０００１】
【発明の属する技術分野】
本発明は、連結用具セット、及び構造物及び金属管の連結方法に関する。
【０００２】
【従来の技術】
住宅等の建造物では、一般に、複数の鉄骨材料を連結してなる構造物を骨格として有している。複数の鉄骨材料を用いてかかる構造物を得るための技術として、ＤＪ工法と呼ばれる施工方法が既に提案されている。
この工法は、主として、鉛直方向に延びる角パイプ製の柱の一側面に対し、断面Ｉ字形状の鉄骨材料からなる梁を水平方向に連結するために用いられる。この工法では、まず、製作現場において予め、柱の側面の梁が連結される箇所に、梁をボルト留めできるようにするための部材（ＤＪコア）を取り付けるとともに、柱に連結される梁の端部に、ＤＪコアにボルトにより連結可能なＤＪプレートを取り付ける。次いで、施工現場において、ＤＪプレートをＤＪコアにボルト留めする。これにより、梁は、溶接等によらずとも、ＤＪプレート及びＤＪコアを介して柱に連結される。
【０００３】
ところで、人が高所で作業するための台や高所に物を載置するための台のように、比較的簡便な建造物の骨格となる構造物として、複数の角パイプを軸方向に連結してなるものを柱として用い、柱と同様の角パイプを梁として用いたものが知られている。この種の構造物では、梁の径と柱の一側面の幅が等しいことから、柱と梁とを連結するのに上記ＤＪ工法を採用することが困難である。
【０００４】
そこで、この種の構造物を組み立てるための技術として、所定の多方連結部材及び継ぎ手を用いることが知られている（例えば、特許文献１参照）。この技術では、まず、柱及び梁を構成する角パイプと同様の角パイプを加工して、互いに直交する複数の筒状部分を有する多方連結部材を用意するとともに、柱、梁及び多方連結部材の端部となる筒状部分に挿入可能な挿入部を軸方向両側に備えた継ぎ手を用意する。次に、この多方連結部材と角パイプとを継ぎ手を介して交互に継ぎ足すことにより鉛直方向に延びる柱を組み立てるとともに、柱の軸方向と直交する方向に突出する多方連結部材の筒状部分に、継ぎ手を介して梁となる角パイプを水平方向に継ぎ足す。これにより、同種の角パイプで構成された柱及び梁からなる構造物を得ることができる。
【０００５】
【特許文献１】
特開２００２−１３０２２７号公報
【０００６】
【発明が解決しようとする課題】
構造物を組み立てる場合、一般に、梁等の水平方向に延びる鉄骨材料は、全ての柱を組み立てた後で隣接する柱の間に架け渡される。上記多方連結部材及び継ぎ手を用いて組み立てられる構造物においても同様に、多方連結部材を用いて全ての柱を組み立てた後に、梁を隣接する２本の柱の間に配置し、梁の両端部をそれぞれ柱から突出する多方連結部材の筒状部分に連結することにより組み立てられる。この場合、隣接する２本の柱の多方連結部材の対向する筒状部分同士は、梁の軸方向長さだけ距離をあけて、梁が配置されるスペースを確保している。
【０００７】
しかし、上記構造物の組み立てにおいては、梁または多方連結部材の一方に継ぎ手を装着する必要があるため、梁を柱に連結する際は、梁が連結される対向する２つの筒状部分の間に、梁の軸方向長さより長いスペースが必要となり、柱を先に設置する工法の下では、梁を配置するのが困難である。
本発明の目的は、筒状部分を有する鉄骨材料同士を容易に連結すること、特に、既に設置された２本の柱状鉄骨材料の間に、他の鉄骨材料をこれらと直交する方向に容易に連結することにある。
【０００８】
【課題を解決するための手段】
請求項１に係る連結用具セットは、金属管と、スライド部材と、固定具セットとを備えている。金属管は、構造物中に設けられた筒状部分と同軸に少なくとも一方の端部が連結されるとともに、端部に軸方向に延びる第１長孔が形成されている。スライド部材は、金属管の端部の内周側に軸方向にスライド自在に装着されるとともに、金属管の内周側に収納可能である。固定具セットは、第１固定具と、第２固定具とを有している。第１固定具は、金属管の外周側から第１長孔を通ってスライド部材を金属管に対し所定の軸方向位置で固定するためのものである。第２固定具は、筒状部分の端部とスライド部材とを固定するためのものである。
【０００９】
また、筒状部分の金属管の端部が装着される側の端部には、第１長孔に対向して第２孔が形成されている。さらに、スライド部材は、筒状部分側の端部が筒状部分の内周側に配置された状態で、第１及び第２固定具がそれぞれ第１長孔及び第２孔を通って取り付けられるための第１及び第２取付孔を有している。なお、本発明において、構造物中の筒状部分とは、例えば、前述の多方連結部材と金属管とを交互に連結してなる柱状部材において、この柱状部材の軸方向と直交する方向に突出する多方連結部材の筒状部分等をいう。
【００１０】
この連結用具セットを用いて金属管を筒状部分に連結する場合は、例えば、予め、スライド部材を金属管の端部の内周側に収納しておく。このとき、スライド部材には、第１固定具が第１長孔を通って第１取付孔に取り付けられる。次いで、この金属管の端部を筒状部分と端面同士が対向するよう配置し、この状態で、例えば、第１固定具を第１長孔に沿って筒状部分側にスライドさせることでスライド部材を筒状部分側にスライドさせ、スライド部材の一方の端部が筒状部分の内周側に配置させる。この状態で、第２固定具を第２孔を通して第２取付孔に取り付ける。これにより、スライド部材は、筒状部分及び金属管の両方に固定され、金属管は筒状部分と同軸に連結される。
【００１１】
ここでは、簡単な構成のスライド部材により筒状部及び金属管を連結できるため、特別な継ぎ手等を用意する必要がない。また、この連結用具セットでは、簡単な動作により金属管及び筒状部分を連結できるため、連結作業をスムーズに行うことができる。さらに、ここでは、筒状部分及び金属管が連結された状態（以下、連結状態ともいう）において、スライド部材は金属管及び筒状部分の内周側に配置されており、上記従来の継ぎ手を用いた場合のように継ぎ手の一部が外部に露出することがないため、連結された部分の見栄えがよくなる。
【００１２】
請求項２に係る連結用具セットは、請求項１の連結用具セットにおいて、筒状部分は、金属管の軸方向長さだけ離れて構造物中の対向する２箇所に設けられている。金属管は、両端部に第１長孔が形成されている。スライド部材及び固定具セットは、金属管の両端部に配置される。
この連結用具セットを用いて金属管及び筒状部分を連結する場合は、例えば、まず、金属管の両端部において、予めスライド部材を内周側に収納しておく。このとき、２つの第１固定具が、それぞれ両端部の第１長孔を通して第１取付孔に取り付けられる。次いで、この状態の金属管を、両端部が各筒状部分と端面同士が対向するよう、対向する２つの筒状部分の間に配置する。そして、各スライド部材を筒状部分側にスライドさせて、それぞれ一方の端部が筒状部分の内周側に配置された状態で、２つの第２固定具をそれぞれ第２孔を通して第２取付孔に取り付ける。これにより、２つのスライド部材はそれぞれ金属管及び筒状部分に対し固定され、金属管及び筒状部分は２箇所において連結される。
【００１３】
ここでは、２本の柱の間に梁を架け渡す場合のように、金属管を配置できるスペースが固定的である場合でも、金属管の両端部をそれぞれ対向する筒状部分に連結することができる。したがって、ここでは、既に組み立てられて設置された隣接する２本の柱状部材の間にも、梁状部材としての金属管を架け渡すことができる。
【００１４】
請求項３に係る連結用具セットは、請求項１または２の連結用具セットにおいて、スライド部材は、本体部と、突出部とを有している。本体部は、第２取付孔を有し、筒状部分及び金属管の内壁に沿う板状の部分である。突出部は、第１取付孔を有し、本体部から外周側に突出しかつ金属管が筒状部分に連結された連結状態において第１長孔に嵌合可能な部分である。
【００１５】
この連結用具セットでは、連結状態において、スライド部材の突出部は、金属管の第１長孔に嵌合して固定されるため、金属管に第１長孔を設けたことによる金属管の強度の低下を抑えることができる。
請求項４に係る連結用具セットは、請求項１から３のいずれかの連結用具セットにおいて、金属管は、周方向に隣接して形成された複数の第１長孔を有している。スライド部材及び固定具は、複数の第１長孔に対応してそれぞれ複数ずつ配置され
る。
【００１６】
この連結用具セットでは、例えば、金属管及び筒状部分として角パイプを用いた場合において、金属管の管径が大きく角パイプの１つの側面の面積が広い場合に、角パイプの１つの側面において第１長孔を複数設けて、対応する複数のスライド部材及び固定具セットを用いることにより、筒状部分との連結状態をより強固に保つことができる。
【００１７】
請求項５に係る連結用具セットは、請求項４の連結用具セットにおいて、筒状部分及び金属管は、周方向に隣接して複数の側面が連結されてなる角柱状中空部材であるとともに、前記金属管は、少なくとも１つの側面に第１長孔が形成されている。
この連結用セットでは、筒状部分及び金属管として角パイプを用いた場合に、例えば、角パイプの２以上の側面に第１長孔を設けて、対応する複数のスライド部材及び固定具セットを用いることで、金属管と筒状部分との連結状態を強固に保つことができる。
【００１８】
請求項６に係る連結用具セットは、請求項３から５のいずれかの連結用具セットにおいて、筒状部分及び金属管は、周方向に隣接する複数の側面を有する角柱状中空部材であるとともに、金属管は、周方向に隣接する２つの側面に第１長孔が形成されている。スライド部材の本体部は、筒状部分及び金属管の周方向に隣接する２つの内壁に沿う２つの側面部が周方向に連結されており、スライド部材の突出部は、側面部にそれぞれ形成されている。固定具セットは、スライド部材の各側面部に対応して複数ずつ配置されている。
【００１９】
この連結用具セットでは、例えば、筒状部分及び金属管として四角柱の角パイプを用いた場合に、断面視概ねＬ字形状のスライド部材を用いることで、スライド部材と筒状部分及び金属管との接触面積を大きくして、金属管及び筒状部分をより強固に連結することができる。
請求項７に係る連結用具セットは、請求項１から６のいずれかの連結用具セットにおいて、スライド部材は板金製であり、第１及び第２固定具はボルトである。
【００２０】
この連結用具セットでは、スライド部材及び固定具はいずれも、入手が容易な汎用部材で構成されるため、簡単に用意でき、また、安価に製造できる。また、各固定具はボルトであることから、例えば、第１取付孔に取り付けられた場合は、外部からスライド部材のスライド操作を行うためのつまみとして機能させることができる。
【００２１】
請求項８に係る連結用具セットは、多方連結部材と、金属管と、スライド部材と、固定具セットとを備えている。多方連結部材は、構造物中に設けられ、互いに直交する複数の筒状部分を有し、筒状部分の端部に軸方向に延びる第２孔を有する。金属管は、第２孔を有する少なくとも一方の端部が多方連結部材の筒状部分の１つと同軸に連結されるとともに、金属管が第２孔を有する筒状部分に連結された連結状態での多方連結部材の第２孔に対向して第１長孔が端部に形成されている。スライド部材は、金属管の端部の内周側に軸方向にスライド自在に装着され、金属管の内周側に収納可能である。固定具セットは、第１固定具と、第２固定具とを備えている。第１固定具は、金属管の外周側から第１長孔を通ってスライド部材を金属管に対し固定するためのものである。第２固定具は、第２孔を通ってスライド部材を筒状部分に固定するためのものである。また、スライド部材は、筒状部分側の端部が筒状部分の内周側に配置された状態で、第１及び第２固定具がそれぞれ第１長孔及び第２孔を通って取り付けられるための第１及び第２取付孔を有している。
【００２２】
この連結用具セットを用いて金属管を筒状部分に連結する場合は、請求項１の連結用具セットと同様な方法で両者を連結することができる。したがって、ここでも、上記従来の継ぎ手のような特別な部材を用いる必要がなく、かかる継ぎ手を予め用意する必要もない。また、この連結用具セットでは、簡単な動作により金属管及び筒状部分を連結できるため、連結作業をスムーズに行うことができる。さらに、ここでは、連結状態において、スライド部材は金属管及び筒状部分の内周側に配置されており、上記従来の継ぎ手を用いた場合のように継ぎ手の一部が外部に露出することがないため、連結された部分の見栄えがよくなる。
【００２３】
請求項９に係る連結用具セットは、多方連結部材と、金属管と、スライド部材と、固定具セットとを備えている。多方連結部材は、構造物中に設けられ、互いに直交する複数の筒状部分を有し、筒状部分の端部に孔が設けられた部材である。金属管は、少なくとも一方の端部が多方連結部材の筒状部分の１つと同軸に連結されるとともに、金属管が筒状部分に連結された連結状態での多方連結部材の孔の周方向位置に対応する周方向位置に軸方向に延びる長孔が端部に形成されたものである。スライド部材は、金属管の端部の内周側に長孔に沿って軸方向にスライド自在に装着され、金属管の内周側に収納可能な部材である。固定具セットは、第１固定具と、第２固定具とを有している。第１固定具は、金属管の端部に配置され、金属管の外周側から長孔を介してスライド部材を金属管に対し固定するためのものである。第２固定具は、孔が形成された筒状部分の端部に配置され、筒状部分の外周側から孔を介してスライド部材を筒状部分に対し固定するためのものである。
【００２４】
この連結用具セットを用いて金属管を筒状部分に連結する場合は、例えば、予め、スライド部材を金属管の端部の内周側に収納しておく。次いで、この金属管の端部を筒状部分の端部に対向するよう配置し、スライド部材を筒状部分側に軸方向にスライドさせ、スライド部材の一部が筒状部分の内周側に配置された時点で、第１固定具によりスライド部材を金属管に対し固定し、第２固定具によりスライド部材を筒状部分に固定する。このようにして、金属管が筒状部分と同軸に連結される。
【００２５】
ここでは、金属管と筒状部分とは、両者の間に１つのスライド部材が配置されて両者に固定されることで連結されるため、従来のように特殊な継ぎ手を用いる必要がない。したがって、ここでは、かかる継ぎ手を予め用意するための作業を省略でき、また、簡単な部材を用いて簡単な動作により金属部材及び筒状部分を連結できるため、連結作業が楽になる。また、ここでは、連結状態において、スライド部材は、金属管及び筒状部分の内周側に配置され、従来のような継ぎ手を用いた場合のように一部が外部に突出することがないため、連結された部分の見栄えがよくなる。
【００２６】
請求項９に係る構造物及び金属管の連結方法は、構造物中に設けられた筒状部分と同軸に金属管を連結するための連結方法であって、収納工程と、配置工程と、スライド工程と、固定工程とを備えている。収納工程では、金属管の端部に軸方向にスライド自在に装着されたスライド部材を金属管の端部の内周側に収納する。配置工程では、スライド部材が収納された金属管の端部を筒状部分と同軸に配置する。スライド工程では、スライド部材を筒状部分側にスライドさせて、その一部を筒状部分の内周側に配置する。固定工程では、スライド部材を金属管に対し固定する。
【００２７】
この連結方法によれば、金属管に対し収納可能及び軸方向にスライド自在なスライド部材を用いることにより、従来のように特別に用意した継ぎ手等を用いずに、金属管と筒状部分とを連結することができる。したがって、連結作業をスムーズに行えるとともに、各構成部品も簡単な構成のもので済む。また、スライド部材は、金属管及び筒状部分の内周側に配置されているため、連結部分の見栄えがよくなる。
【００２８】
請求項１０に係る構造物及び金属管の連結方法は、請求項９の連結方法において、配置工程では、金属管の軸方向長さだけ離れて配置された２つの筒状部分の間に、スライド部材が収納された金属管を配置する。
この連結方法によれば、スライド部材が金属管の内周側に収納可能であるため、金属管を配置できるスペースが固定的である場合であっても、金属管を対向する筒状部分の間に特に支障なく配置することができ、両端部をそれぞれ対向する筒状部分に連結することができる。したがって、ここでは、例えば、既に組み立てられて設置された隣接する２本の柱状部材の間にも、梁状部材としての金属管を架け渡すことができる。
【００２９】
【発明の実施の形態】
［連結用具セット］
図１に、本発明の一実施形態が採用された連結用具セット１を示す。
この連結用具セット１は、２つの五方連結部材３と、金属製角パイプ（以下、単に角パイプともいう）５と、８つのスライドロックプレート（スライド部材）７と、８つの固定具セット９とを備えている。
【００３０】
五方連結部材３は、主として、角パイプ５を含む複数の角パイプと交互に軸方向に延びて連結されることで形成される柱状物を組み立てるために用いられる。五方連結部材３は、角パイプ５と同じ断面形状を有する５つの筒状部分が互いに直交してなり、具体的には、上記特許文献１に示されるものが用いられる。５つの筒状部分のうち１つの筒状部分（以下、筒状部という）１１の端部１１ａには、４つの側面１１ｂそれぞれに、連結状態における角パイプ５の長孔（第１長孔）５ｃ（後述）に対向するよう形成された２つの孔（第２孔）１１ｃを有している。孔１１ｃには、固定具セット９の第２ボルト１３（後述）が挿通可能である。なお、２つの五方連結部材３は、２つの筒状部１１の端面同士の距離が角パイプ５の軸方向長さと実質的に等しい長さを開けて互いに配置される。
【００３１】
角パイプ５は、周方向に連結された４つの側面５ｂを有する四角柱形状の中空部材である。角パイプ５の両端部５ａは、筒状部１１と同軸に連結される。両端部５ａの各側面５ｂには、軸方向に延びる長孔５ｃが形成されている。長孔５ｃは、連結状態において、筒状部１１の対向する孔１１ｃと一直線上に配置されるよう形成されている。長孔５ｃは、固定具セット９の第１ボルト１２（後述）が挿通可能であるとともに、スライドロックプレート７が筒状部１１内に進入する長さより僅かに長く、かつ、第１ボルト１２がスライドロックプレート７の第１ネジ孔７ｃ（図２参照）に挿入された状態でスライドロックプレート７を角パイプ５に対し相対移動させることでスライドロックプレート７が角パイプ５内に完全に収納することができる程度の軸方向長さを有している。
【００３２】
スライドロックプレート７は、図２に示すように、概ね板状に形成された板金製部材であり、板状の本体部７ａと、本体部７ａの一方の面から突出して一体に形成された突出部７ｂとを有している。
本体部７ａは、ここでは、筒状部１１及び角パイプ５の内壁に沿うよう、平面形状のものが用いられる。本体部７ａには、第２ボルト１３が挿入可能な第２ネジ孔（第２取付孔）７ｅが２箇所に形成されている。第２取付孔７ｅは、連結状態において、筒状部１１の２つの孔１１ｃと重なる位置に形成されている。
【００３３】
突出部７ｂは、連結状態において、角パイプ５の長孔５ｃに嵌合し得るよう形成されており、ここでは、角パイプ５の各側面５ｂの厚みの約１／３〜１／２程度の厚みを有している。また、突出部７ｂには、第１ボルト１２が挿入可能な２つの第１ネジ孔（第１挿入孔）７ｃ，７ｄが形成されており、これらのネジ孔７ｃ，７ｄは、突出部７ｂのみでなく本体部７ａも貫通している。第１ネジ孔７ｃは、第１ボルト１２が挿入されるネジ孔である。スライドロックプレート７は、後述するように、第１ボルト１２が第１ネジ孔７ｃに軽くねじ込まれることで、角パイプ５の端部５ａにスライド自在に装着される。
【００３４】
固定具セット９はそれぞれ、２本の第１ボルト１２と、２本の第２ボルト１３とを有している。第１ボルト１２は、筒状部１１の外側から孔１１ｃを通ってスライドロックプレート７の第１ネジ孔７ｃ，７ｄに挿入され、連結状態において、スライドロックプレート７を筒状部１１に固定するためのものである。また、ここでは、第１ボルト１２のうち１本は、スライドロックプレート７の収納時、連結作業時にも第１ネジ孔７ｃに軽くねじ込まれ、スライドロックプレート７を軸方向にスライドさせるためのつまみとしても機能する。第２ボルト１３は、各パイプ５の外側から長孔５ｃを通ってスライドロックプレート７の第２ネジ孔７ｅに挿入され、連結状態において、スライドロックプレート７を角パイプ５に固定するためのものである。
【００３５】
［連結方法］
次に、上記連結用具セット１を用いて筒状部１１及び角パイプ５を連結するための方法について説明する。
この連結方法は、準備工程と、収納工程と、配置工程と、スライド工程と、固定工程とを備えている。
【００３６】
準備工程では、例えば、複数の他の角パイプと複数の五方連結部材（五方連結部材３を含む）を上記特許文献に示された継ぎ手を介して、同特許文献に示された方法に従って、交互に連結して予め柱状物を組み立てておく。
収納工程では、角パイプ５の内周側にスライドロックプレート７を配置し、１本の第１ボルト１２を外側から長孔５ｃを通して第１ネジ孔７ｃに軽く装着し、第１ボルト１２の頭部をつまんで端部５ａと逆側の長孔５ｃの端部までスライドさせて、スライドロックプレート７を角パイプ５の内周側に完全に収納する。ここで、第１ボルト１２をやや固めに締めてスライドロックプレート７を角パイプ５に対し動かない程度に仮留めしておく。このような動作を、角パイプ５の両端部５ａの全ての側面５ｂにおいて行う。
【００３７】
配置工程では、スライドロックプレート７が収納された角パイプ５を、各端部５ａ及び筒状部１１の端面同士が対向するよう、２つの筒状部１１の間に配置する。
スライド工程では、第１ボルト１２を少し緩めるとともに頭部をつまんで筒状部１１側にスライドさせて、スライドロックプレート７の一方の端部を筒状部１１の端部１１ａ内に配置する。このとき、突出部７ｂを長孔５ｃに嵌合させる。
【００３８】
固定工程では、第１ボルト１２を第１ネジ孔７ｃに挿入するとともに、もう一方の第１ボルト１２及び第２ボルト１３を第１ネジ孔７ｄ及び第２ネジ孔７ｅにそれぞれ挿入する。この動作もまた、角パイプ５の両端部５ａの全ての側面５ｂにおいて行う。これにより、角パイプ５が２つの五方連結部材３に連結され、所定の構造物が組み立てられる。
【００３９】
このような連結動作に従って角パイプ、多方連結部材（三方及び四方連結部材を含む）及び継ぎ手等の種々の部材を組み立てることにより、例えば、図３に示すような構造物４１を組み立てることができる。
この連結用具セット１によれば、簡単な構成のスライドロックプレート７を用いて筒状部１１及び角パイプ５を連結することができるため、上記従来の継ぎ手のような特別な部材を用いる必要がなく、かかる継ぎ手を予め用意する必要もない。また、この連結用具セット１では、上記のように、簡単な動作によって筒状部１１及び角パイプ５を連結できるため、連結作業を素早く行うことができる。さらに、この連結用具セット１では、連結状態において、スライドロックプレート７は、角パイプ５及び筒状部１１の内周側に配置されるため、外部に露出して連結部分の外観が損なわれるのを防止することができる。
【００４０】
また、この連結用具セット１では、連結状態において、スライドロックプレート７の突出部７ｂが長孔５ｃに嵌合されるため、長孔５ｃを設けたことによる角パイプ５の強度の低下を抑えることができる。
さらに、この連結用具セット１では、連結状態において、スライドロックプレート７の突出部７ｂを長孔５ｃに嵌合させることで、スライドロックプレート７が角パイプ５に対して容易に位置決めされるため、連結作業時に、第２ネジ孔７ｅと孔１１ｃとの位置合わせのための微調整等の必要がなく、連結作業をより迅速に行うことができる。
【００４１】
［他の実施形態］
（ａ）角パイプ１５の長孔１５ｃは、図５に示すように、側面１５ｂに複数設けられてもよい。この場合、スライドロックプレートとしては、上記実施形態と同様に構成されたものが角パイプ１５の１つの側面１５ｂにおいて複数用いられてもよく、また、かかるスライドロックプレート１７が複数連結された形状のもの（符号１７）が用いられてもよい。
【００４２】
このような構成は、比較的幅広な側面１５ｂ，１１１ｂを有する角パイプ１５及び筒状部１１１を連結する際に、連結状態がより強固に保てる点で有効である。また、上記実施形態に比べ、特にひねりに対する強度が確保されるようになる。
（ｂ）スライドロックプレート２７は、図６に示すように、角パイプ２５の周方向に隣接する２つの側面２５ｂにわたり当接するよう断面が概ねＬ字形状に構成されてもよい。この場合、角パイプ２５は、少なくとも周方向に隣接する２つの側面２５ｂにおいて長孔２５ｃが形成される。また、スライドロックプレート２７の本体部２７ａは、角パイプ２５の上記２つの側面２５ｂに沿う２つの側面部２７ｄが周方向に連結されるとともに、スライドロックプレート２７の突出部２７ｂは、側面部２７ｄにそれぞれ形成される。
【００４３】
（ｃ）金属管は、水平方向にのみ連結されるものではない。また、金属管は、多方連結部材のみでなく、構造物中の、筒状部分を有する他の金属管等に連結されてもよい。
（ｄ）１つの構造物において、本発明の連結用具セット及び連結方法と、他の連結用具セット及び連結方法とが併用されてもよい。例えば、角パイプは、図４に示すように、一方の端部においてのみスライドロックプレートを介して多方連結部材と連結されるとともに、他方の端部においては、上記特許文献１に示されるような継ぎ手３１を用いて多方連結部材と連結されてもよい。
【００４４】
（ｅ）多方連結部材は、複数の筒状部において角パイプを連結可能に構成されてもよい。
【００４５】
【発明の効果】
本発明によれば、簡単な構成のスライド部材を用いて筒状部分及び金属管を連結できるため、特別な継ぎ手等を用意する必要がない。また、簡単な動作により金属管及び筒状部分を連結できるため、連結作業をスムーズに行うことができる。さらに、本発明によれば、連結状態において、スライド部材は金属管及び筒状部分の内周側に配置されており、上記従来の継ぎ手を用いた場合のように継ぎ手の一部が外部に露出することがないため、連結された部分の見栄えがよくなる。
【図面の簡単な説明】
【図１】本発明の一実施形態が採用された連結用具セットを示す図。
【図２】前記連結用具セットのスライドロックプレートを示す斜視図。
【図３】本発明の連結用具セットを用いて組み立てられた構造物を示す側面図。
【図４】本発明の他の実施形態による連結用具セットを用いて組み立られた構造物を示す側面図。
【図５】本発明の他の実施形態の連結用具セットの一部を示す平面図。
【図６】本発明の他の実施形態の連結用具セットの一部を示す平面図。
【符号の説明】
１  連結用具セット
３  多方連結部材
５  金属製角パイプ
５ａ  端部
５ｂ  側面
５ｃ  長孔
７  スライドロックプレート
７ａ  本体部
７ｂ  突出部
７ｃ，７ｄ  第１ネジ孔
７ｅ  第２ネジ孔
９  固定具セット
１１  筒状部
１１ａ  端部
１１ｂ  側面
１１ｃ  孔
１２  第１ボルト
１３  第２ボルト
【図１】
2004360391.tif 000003
【図２】
2004360391.tif 000004
【図３】
2004360391.tif 000005
【図４】
2004360391.tif 000006
【図５】
2004360391.tif 000007
【図６】
2004360391.tif 000008